(57)【要約】【課題】  ノートパソコンを動画やＷｅｂの鑑賞に用いるのに適した補助装置とノートパソコンを提供する。【解決手段】  補助装置は、４５度以上の角度で傾斜した背面板と、下部に支持台を備える。ノートパソコンは背面板と支持台とにより斜めに支えられる。ノートパソコンは、閉じた状態では前面を下に向けて補助装置に置かれる。補助装置は、ＡＣアダプタを介して家庭用のコンセントから電力を供給する端子を支持台の上部に備えている。ノートパソコンは、補助装置に置いたときに支持台上部の端子と接触する端子を備えている。ユーザは、パソコン本体が背面板と支持台に支持された状態で、表示画面の法線が概ね水平となる程度までディスプレイを開く。ユーザは、パソコン単体の場合に比べて位置が高く見やすい表示画面で動画などを鑑賞する。ユーザは、補助装置を経由して電力が供給されるため、電源の心配をする必要が無い。【選択図】図１
2005310001.tif 000002
【特許請求の範囲】
【請求項１】
コンピュータが立て掛けられる背面板と、
前記背面板に取り付けられ、前記コンピュータを載せる支持台
とを具備する
コンピュータ補助装置。
【請求項２】
請求項１に記載されたコンピュータ補助装置であって、
前記背面板は当該コンピュータ補助装置の設置面よりも４５度以上傾斜し、
前記コンピュータはノート型パーソナルコンピュータである
コンピュータ補助装置。
【請求項３】
請求項１又は２に記載されたコンピュータ補助装置であって、
前記コンピュータは折り畳まれた状態と開放された状態との少なくとも２つの状態を取り、
前記コンピュータが前記背面板に立て掛けられて前記開放された状態を取るとき、前記コンピュータが有するディスプレイの表示画面は、法線が概ね水平方向か、水平方向よりも上を向く
コンピュータ補助装置。
【請求項４】
請求項１から３のうちのいずれか１項に記載されたコンピュータ補助装置であって、
前記支持台は、前記コンピュータを上から載せる力によって前記コンピュータが備える電源用端子と嵌合する電源供給用端子を備え、
前記電源供給用端子は、前記電源用端子と嵌合すると前記電源用端子を介して前記コンピュータに電力を供給する
コンピュータ補助装置。
【請求項５】
請求項４に記載されたコンピュータ補助装置であって、
前記電源供給用端子は、前記コンピュータに前記コンピュータの最大消費電力を供給することが可能である
コンピュータ補助装置。
【請求項６】
請求項４又は５に記載されたコンピュータ補助装置であって、
前記電源用端子は、前記コンピュータが上に持ち上げられると前記電源供給用端子から外れる
コンピュータ補助装置。
【請求項７】
請求項４から６のうちの１項に記載されたコンピュータ補助装置であって、
前記背面板は、前記コンピュータが立て掛けられる位置を示すガイドを備え、
前記コンピュータが前記ガイドに沿って前記背面板に立て掛けられるとき、前記電源用端子は前記電源供給用端子に嵌合する
コンピュータ補助装置。
【請求項８】
請求項４から７のうちのいずれか１項に記載されたコンピュータ補助装置であって、
前記支持台はさらに、前記コンピュータが上から載せられる力によって押下され、且つ押下されていないとき前記電源供給用端子からの電力の供給を停止する安全スイッチを備える
コンピュータ補助装置。
【請求項９】
請求項１から８のうちのいずれか１項に記載されたコンピュータ補助装置であって、
当該コンピュータ補助装置は前記コンピュータが有するディスプレイの縦中心線に対して左右対称な形状であり、
前記電源供給用端子は、左右対称な位置に１個ずつ設けられている
コンピュータ補助装置。
【請求項１０】
請求項１から９のうちのいずれか１項に記載されたコンピュータ補助装置であって、
前記コンピュータは、折り畳まれてロックを施された状態と、前記ロックを解除された状態との少なくとも２つの状態を取り、
当該コンピュータ補助装置はさらに、ロック解除スイッチを具備し、
当該コンピュータ補助装置に前記コンピュータが前記ロックを施された状態で載せられているときに前記ロック解除スイッチが操作されると、前記ロックが解除される
コンピュータ補助装置。
【請求項１１】
請求項１０に記載されたコンピュータ補助装置であって、
前記ロック解除スイッチは前記支持台の前面に設けられ、前記ロック解除スイッチを押下することにより前記ロックが解除される
コンピュータ補助装置。
【請求項１２】
請求項１から１１のうちのいずれか１項に記載されたコンピュータ補助装置であって、
前記背面板は透明である
コンピュータ補助装置。
【請求項１３】
前面に電源用端子を備えるコンピュータと、
コンピュータ補助装置
とを具備し、
前記コンピュータ補助装置は、
コンピュータが前記前面を下にした状態で立て掛けられる背面板と、
前記背面板に取り付けられ、コンピュータを下から支持する支持台と、
前記支持台に設置され、前記電源用端子を介して前記コンピュータに電力を供給する電源供給用端子
とを備える
コンピュータシステム。
【請求項１４】
請求項１３に記載されたコンピュータシステムであって、
前記コンピュータは、キーボード部とディスプレイ部とが折り畳まれた状態と、半開された状態と、開放された状態との少なくとも３つの状態を取り、
前記半開された状態のとき、前記ディスプレイ部が備えるディスプレイは前記キーボード部が机上に置かれて使用されると見やすい角度であり、
前記開放された状態のとき、前記コンピュータが前記コンピュータ補助装置に置かれた状態で前記ディスプレイの表示画面は、法線が概ね水平方向か、水平方向よりも上を向く
コンピュータシステム。
【請求項１５】
請求項１４に記載されたコンピュータシステムであって、
前記コンピュータは、Ｂ５サイズのノート型パーソナルコンピュータである
コンピュータシステム。
【請求項１６】
請求項１５に記載されたコンピュータシステムであって、
前記背面板は透明である
コンピュータシステム。
【請求項１７】
請求項１３から１６のうちのいずれか１項に記載されたコンピュータシステムであって、
前記コンピュータは、前記前面に電源用端子を備え、
前記支持台は、前記コンピュータを上から載せる力によって前記電源用端子と嵌合する電源供給用端子を備え、
前記電源供給用端子は、前記電源用端子と嵌合すると前記電源用端子を介して前記コンピュータに電力を供給する
コンピュータシステム。
【請求項１８】
請求項１７に記載されたコンピュータシステムであって、
前記電源供給用端子は、下に広がるテーパ形状をなしており、
前記電源用端子は、前記テーパ形状に相補的な形状をなしている
コンピュータシステム。
【請求項１９】
請求項１３から１８のうちのいずれか１項に記載されたコンピュータシステムであって、
前記背面板は、前記コンピュータが立て掛けられる位置を示すガイドを備え、
前記コンピュータは、前記ガイドと噛み合ってスライドするスライド部を備える
コンピュータシステム。
【請求項２０】
請求項１３から１９のうちのいずれか１項に記載されたコンピュータシステムであって、
前記コンピュータは、折り畳まれてロックを施された状態と、前記ロックを解除された状態との少なくとも２つの状態を取り、
前記コンピュータは、前記前面に、押されることにより前記ロックを解除するコンピュータ側ロック解除スイッチを備え、
前記支持台は、前記支持台の前面である支持台前面に、前後方向に押すことができるロック解除スイッチを備え、
前記ロック解除スイッチが押されると前記支持台の上面が持ち上げられて前記コンピュータ側ロック解除スイッチが押され、前記ロックが解除される
コンピュータシステム。
【請求項２１】
請求項１３から２０のうちのいずれか１項に記載されたコンピュータシステムであって、
前記コンピュータは、前記前面にスピーカを備え、
前記コンピュータ補助装置は、前記コンピュータが前記コンピュータ補助装置に載せされたとき、前記スピーカが発する音声を水平方向に導く音響板を供える
コンピュータシステム。
【請求項２２】
コンピュータを取り付ける取付部と、
解除スイッチ
とを具備し、
前記解除スイッチを操作することにより、前記取付部に設置されたコンピュータの蓋部が開く
コンピュータ補助装置。
【請求項２３】
コンピュータと、
前記コンピュータを取り付けるコンピュータ取付部を備えるコンピュータ補助装置
とを具備し、
前記コンピュータは、折り畳まれてロックを施された状態と、前記ロックを解除された状態との少なくとも２つの状態を取り、
当該コンピュータ補助装置はロック解除スイッチを具備し、
当該コンピュータ補助装置に前記ロックを施された状態の前記コンピュータが取り付けられているときに前記ロック解除スイッチに施される操作により、前記ロックが解除される
コンピュータシステム。
【発明の詳細な説明】
【技術分野】
【０００１】
本発明は、ドッキングステーション、クレードル等の電子機器用の補助装置に関する。
【背景技術】
【０００２】
ノートパソコン、ＰＤＡ（Ｐｅｒｓｏｎａｌ  Ｄｉｇｉｔａｌ  Ａｓｓｉｓｔａｎｔ）に例示される電子機器の機能を補助するために、それらの電子機器と接続して使用されるドッキングステーション、クレードルなどと呼ばれる補助装置が利用されている。
ノートパソコン用のパソコンラックが知られている（非特許文献１参照）。
【０００３】
【非特許文献１】コクヨ  ホームページ、［平成１６年４月１２日検索]、インターネット、＜ＵＲＬ：  ｈｔｔｐ：／／ｗｗｗ．ｋｏｋｕｙｏ．ｃｏ．ｊｐ／ｃａｔａｌｏｇ／１＿ｄｅｔａｉｌ．ｐｈｐ？ｃ１＝１２１０＆ｃ２＝１１＆ｃ３＝１１＆ｓｉｄ＝１０２７＞
【発明の開示】
【発明が解決しようとする課題】
【０００４】
コンピュータの機能を活用するには、キーボード部を操作してコンピュータに命令等を入力することがこれまで一般的であった。そのため、キーボード部は、机上等の概ね水平な面に対して平行に設置され、キー入力しやすい状態にある必要があった。
【０００５】
しかしながら、近年では、コンピュータの使用形態において、キーボード部をあまり使用しないまま、コンピュータの機能を活用するケースが多く見受けられる。たとえば、Ｗｅｂ鑑賞や動画鑑賞等を行う際、これまでのように、キーボード部を机上に設置し、キーボード部を操作できる状態を保持したままにしておくことは、必ずしも必要ではない。
【０００６】
そこで、コンピュータの使用形態の課題として、省スペースを考慮しつつ、キーボード部の操作を頻繁に行わない状態で、コンピュータを使用する形態の検討が要求されていた。
【０００７】
本発明の目的は、コンピュータのキーボードを使うことが少ないライトユーザーに適した使用形態を与える補助装置を提供することである。
本発明の目的は、コンピュータを置くスペースが少なくて済む補助装置を提供することである。
本発明の他の目的は、小型のコンピュータでＤＶＤ（Ｄｉｇｉｔａｌ  Ｖｅｒｓａｔｉｌｅ  Ｄｉｓｃ）に録画された動画、テレビジョン画像などをより快適に鑑賞することを可能にする補助装置を提供することである。
本発明のさらに他の目的は、省スペースでＷｅｂ鑑賞、動画鑑賞などをすることができる補助装置を提供することである。
【課題を解決するための手段】
【０００８】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００９】
本発明によるコンピュータ補助装置（２）は、コンピュータ（３０）が立て掛けられる背面板（４）と、背面板（４）に取り付けられ、コンピュータ（３０）を載せる支持台（８）とを備えている。
【００１０】
本発明によるコンピュータ補助装置（２）において、背面板（４）は当該コンピュータ補助装置（２）の設置面よりも４５度以上傾斜し、コンピュータ（３０）はノート型パーソナルコンピュータである。
【００１１】
本発明によるコンピュータ補助装置（２）において、コンピュータ（３０）は折り畳まれた状態と開放された状態との少なくとも２つの状態を取る。コンピュータ（３０）が背面板（４）に立て掛けられて開放された状態を取るとき、コンピュータ（３０）が有するディスプレイ（４４）の表示画面は、法線が概ね水平方向か、水平方向よりも上を向く。
【００１２】
本発明によるコンピュータ補助装置（２）において、支持台（８）は、コンピュータ（３０）を上から載せる力によってコンピュータ（３０）が備える電源用端子（３８）と嵌合する電源供給用端子（１２）を備える。電源供給用端子（１２）は、電源用端子（３８）と嵌合すると電源用端子（３８）を介してコンピュータ（３０）に電力を供給する。
【００１３】
本発明によるコンピュータ補助装置（２）において、電源供給用端子（１２）は、コンピュータ（３０）にコンピュータ（３０）の最大消費電力を供給することが可能である。
【００１４】
本発明によるコンピュータ補助装置（２）において、電源用端子（３８）は、コンピュータ（３０）が上に持ち上げられると電源供給用端子（１２）から外れる。
【００１５】
本発明によるコンピュータ補助装置（２）において、背面板（４）は、コンピュータ（３０）が立て掛けられる位置を示すガイド（１０）を備えている。コンピュータ（３０）がガイド（１０）に沿って背面板（４）に立て掛けられるとき、電源用端子（３８）は電源供給用端子（１２）に嵌合する。
【００１６】
本発明によるコンピュータ補助装置（２）において、支持台（８）はさらに、コンピュータ（３０）が上から載せられる力によって押下され、且つ押下されていないとき電源供給用端子（１２）からの電力の供給を停止する安全スイッチ（１４）を備える。
【００１７】
本発明によるコンピュータ補助装置（２）において、当該コンピュータ補助装置（２）はコンピュータ（３０）が有するディスプレイ（４４）の縦中心線に対して左右対称な形状であり、電源供給用端子（１２）は、左右対称な位置に１個ずつ設けられている。
【００１８】
本発明によるコンピュータ補助装置（２）において、コンピュータ（３０）は、折り畳まれてロックを施された状態と、ロックを解除された状態との少なくとも２つの状態を取る。当該コンピュータ補助装置（２）はさらに、ロック解除スイッチ（２１）を備える。当該コンピュータ補助装置（２）にコンピュータ（３０）がロックを施された状態で載せられているときにロック解除スイッチ（２１）が操作されると、ロックが解除される。
【００１９】
本発明によるコンピュータ補助装置（２）において、ロック解除スイッチ（２１）は支持台（８）の前面に設けられ、ロック解除スイッチ（２１）を押下することによりロックが解除される。
【００２０】
本発明によるコンピュータ補助装置（２）において、背面板（４）は透明である。
【００２１】
本発明によるコンピュータ（３０）システムは、前面に電源用端子（３８）を備えるコンピュータ（３０）と、コンピュータ補助装置（２）とを備える。コンピュータ補助装置（２）は、コンピュータ（３０）が前面を下にした状態で立て掛けられる背面板（４）と、背面板（４）に取り付けられ、コンピュータ（３０）を下から支持する支持台（８）と、支持台（８）に設置され、電源用端子（３８）を介してコンピュータ（３０）に電力を供給する電源供給用端子（１２）とを備える。
【００２２】
本発明によるコンピュータ（３０）システムにおいて、コンピュータ（３０）は、キーボード部（４２）とディスプレイ部（４４）とが折り畳まれた状態と、半開された状態と、開放された状態との少なくとも３つの状態を取る。半開された状態のとき、ディスプレイ部（４４）が備えるディスプレイはキーボード部（４２）が机上に置かれて使用されると見やすい角度である。開放された状態のとき、コンピュータ（３０）がコンピュータ補助装置（２）に置かれた状態でディスプレイ（４４）の表示画面は、法線が概ね水平方向か、水平方向よりも上を向く。
【００２３】
本発明によるコンピュータシステム（２、３０）において、コンピュータ（３０）は、Ｂ５サイズのノート型パーソナルコンピュータである。
【００２４】
本発明によるコンピュータシステム（２、３０）において、背面板（４）は透明である。
【００２５】
本発明によるコンピュータシステム（２、３０）において、コンピュータ（３０）は、前面に電源用端子（３８）を備えている。支持台（８）は、コンピュータ（３０）を上から載せる力によって電源用端子（３８）と嵌合する電源供給用端子（１２）を備えている。電源供給用端子（１２）は、電源用端子（３８）と嵌合すると電源用端子（３８）を介してコンピュータ（３０）に電力を供給する。
【００２６】
本発明によるコンピュータシステム（２、３０）において、電源供給用端子（１２）は、下に広がるテーパ形状をなしている。電源用端子（３８）は、そのテーパ形状に相補的な形状をなしている。
【００２７】
本発明によるコンピュータシステム（２、３０）において、背面板（４）は、コンピュータ（３０）が立て掛けられる位置を示すガイド（１０）を備えている。コンピュータ（３０）は、ガイドと噛み合ってスライドするスライド部（４１）を備える。
【００２８】
本発明によるコンピュータシステム（２、３０）において、コンピュータ（３０）は、折り畳まれてロックを施された状態と、ロックを解除された状態との少なくとも２つの状態を取る。コンピュータ（３０）は、前面に、押されることによりロックを解除するコンピュータ側ロック解除スイッチ（３６）を備える。支持台（８）は、支持台（８）の前面である支持台（８）前面に、前後方向に押すことができるロック解除スイッチ（２１）を備える。ロック解除スイッチ（２１）が押されると支持台（８）の上面が持ち上げられてコンピュータ側ロック解除スイッチ（３６）が押され、ロックが解除される。
【００２９】
本発明によるコンピュータシステム（２、３０）において、コンピュータ（３０）は、前面にスピーカ（４０）を備える。コンピュータ補助装置（２）は、コンピュータ（３０）がコンピュータ補助装置（２）に載せされたとき、スピーカ（４０）が発する音声を水平方向に導く音響板（４）を供える。
【００３０】
本発明によるコンピュータ補助装置（２）は、コンピュータ（３０）を取り付ける取付部（４、８）と、解除スイッチ（２１）とを備える。解除スイッチ（２１）を操作することにより、取付部（４、８）に設置されたコンピュータ（３０）の蓋部（４４）が開く。
【００３１】
本発明によるコンピュータ補助装置（２）は、コンピュータ（３０）と、コンピュータ（３０）を取り付けるコンピュータ取付部（４、８）を備えるコンピュータ補助装置（２）とを備える。コンピュータ（３０）は、折り畳まれてロックを施された状態と、ロックを解除された状態との少なくとも２つの状態を取る。当該コンピュータ補助装置（２）はロック解除スイッチ（２１）を備える。当該コンピュータ補助装置（２）にロックを施された状態のコンピュータ（３０）が取り付けられているときにロック解除スイッチ（２１）に施される操作により、ロックが解除される。
【発明の効果】
【００３２】
本発明によれば、コンピュータのキーボードを使うことが少ないライトユーザーに適した使用形態を与える補助装置が提供される。
さらに本発明によれば、コンピュータを置くスペースが少なくて済む補助装置が提供される。
さらに本発明によれば、小型のコンピュータでＤＶＤ（Ｄｉｇｉｔａｌ  Ｖｅｒｓａｔｉｌｅ  Ｄｉｓｃ）に録画された動画、テレビジョン画像などをより快適に鑑賞することを可能にする補助装置が提供される。
さらに本発明によれば、省スペースでＷｅｂ鑑賞、動画鑑賞などをすることができる補助装置が提供される。
【００３３】
さらに本発明によれば、コンピュータのスライド部をガイドに沿わせて支持台の上に置くだけでコンピュータ補助装置と接続され、コンピュータを持ち上げるだけでコンピュータ補助装置から取り外されるため、従来のポートリプリケータに比べて接続及び取り外しがスムーズに行われる。
さらに本発明によれば、コンピュータ補助装置に設置した状態で、コンピュータのディスプレイ表示画面をワンタッチで開くことができる。
さらに本発明によれば、コンピュータが載せられていないときに端子から電力の供給が停止されるため、コンピュータ補助装置の安全度が高い。さらに、こうした安全機構があるため、電源供給用端子からコンピュータの最大消費電力を安全に供給することができる。こうしたコンピュータ補助装置・コンピュータシステムは、動画鑑賞などに好適である。
さらに本発明によれば、コンピュータが単体でもコンピュータ補助装置に設置された状態でも音声が聞きやすい。
【発明を実施するための最良の形態】
【００３４】
以下、図面を参照しながら本発明におけるコンピュータ補助装置を実施するための最良の形態について詳細に説明する。
【００３５】
図１を参照すると、補助装置の側面図が示されている。補助装置２は、透明な素材により形成された背面板４を備えている。背面板４が透明であると、補助装置２がコンパクトに感じられて好ましい。背面板４は、設置面に対して４５度以上傾斜した角度で支持部６に支持されている。支持部６は折り畳み可能である。背面板の前面（斜め上を向いている側の面）には、透明な素材により形成されたガイド１０が設置されている。
【００３６】
背面板４は、下部で傾斜が水平に近づくようにカーブしている。背面板４の下部には、支持台８が背面板４の前面に取り付けられている。支持台８の上には、電極であるスタンド端子１２と、安全スイッチ１４と、ゴム１６とが取り付けられている。支持台８の後方（背面板の裏側）には電源コード１８が接続されている。
【００３７】
図２を参照すると、補助装置２の前面図が示されている。ガイド１０は、背面板４の左側と右側に１つずつ、左右対称に、上下方向に長いストレートな形状をしている。支持台８は、前面に、回転部２０と、回転部２０に設置された補助装置側解除スイッチ２１と、電源ＬＥＤ２２とを有している。
【００３８】
図３を参照すると、補助装置２の前面を斜め上から見た様子が示されている。支持台８の上面には、左側と右側とに１つずつ、左右対称に、スタンド端子１２が取り付けられている。各々のスタンド端子１２に対応する位置にはゴム１６が取り付けられている。支持台８の上面の中央付近には、安全スイッチ１４が取り付けられている。支持台８の上面の中央付近にはさらに、解除スイッチ押下部２４が設けられている。
【００３９】
図４を参照すると、補助装置２に取り付けられるコンピュータを前方から見た斜視図が示されている。コンピュータ３０は、例えばＢ５版サイズのノートパソコンである。コンピュータ３０は、本体部４２と、本体部４２に折り畳まれているディスプレイ部４４とからなる。本体部４２とディスプレイ部４４とは、コンピュータ３０の前面に設けられた解除スイッチ３６を押下した状態で、背面３２に設けられたヒンジの周りに開閉可能である。
【００４０】
コンピュータ３０は、前面に、右側と左側に１つずつ、左右対称に、電極であるＰＣ前面端子３８を備えている。ＰＣ前面端子３８は、スタンド端子１２と凹凸が相補的な形状をしている。スタンド端子１２が凸型、ＰＣ前面端子が凹型である。好ましくは、スタンド端子１２は下向きに広がるテーパ形状を有しており、ＰＣ前面端子はそれに相補的に前面に近づくほど広がるテーパ形状を有している。
【００４１】
コンピュータ３０はさらに、前面に、右側と左側に１つずつ、左右対称に、スピーカ４０を備えている。コンピュータ３０の本体部４２には、左右対称に、ストレートなガイド溝４１が設けられている。
【００４２】
図５を参照すると、コンピュータ３０を補助装置２に載せたときの、支持台８の付近の断面図が示されている。コンピュータ３０は、本体部４２とディスプレイ部４４とが折り畳まれた状態で、前面を下に向けて補助装置２に載せられている。
【００４３】
回転部２０は、ｙ軸方向に延長する回転軸６１を中心軸として回転可能である。回転部２０は、無負荷のときは、図示されないスプリングにより、回転部２０の前面と支持台８の前面とが同じ平面上に乗る位置を取る。
【００４４】
コンピュータ３０が補助装置２に載せられた状態のとき、解除スイッチ押下部２４と解除スイッチ３６とは接している。本体部４２の中にはストッパー６４が設置されている。ストッパー６４は、支点部６２のまわりでｙ軸方向を法線方向とする所定の角度の範囲内で回転可能である。ディスプレイ部４４は、係止部６８を備えている。ディスプレイ部４４と本体部４２とが折り畳まれて閉じられた状態のとき、ストッパー６４は図示されないスプリングにより係止部６８に押し付けられて引っ掛かる。その結果、ディスプレイ部４４と本体部４２とは折り畳まれた状態で固定される。
【００４５】
以上の構成を備えたコンピュータ３０と補助装置２とは、以下のように動作する。
【００４６】
図１を参照して、補助装置２の電源コード１８は、図示されないＡＣアダプタを介して家庭用のコンセントに差し込まれる。これにより、支持台８に設置された電源ＬＥＤ２２が点灯する。コンピュータ３０は、ガイド溝４１がガイド１０に沿うようにして、背面板に沿って上から滑り込むように斜め下に下ろされる。コンピュータ３０の前面が支持台８の上のゴム１６に当る位置で、コンピュータ３０は支持台８の上に支持された状態となって安定する。コンピュータ３０の前面は、ゴム１６を介して支持台に支持されるため、塗装が傷つかない。
【００４７】
図６を参照すると、補助装置２にコンピュータ３０が支持された状態の側面図が示されている。スタンド端子１２の付近は部分的に破断図となっている。コンピュータ３０の前面がゴム１６に当る位置にあるとき、スタンド端子１２はＰＣ前面端子３８に嵌合し、電気的に接続される。さらに安全スイッチ１４がコンピュータ３０の前面により押下される。
【００４８】
スタンド端子１２がテーパ形状をしており、ＰＣ前面端子３８がそれに相補的な形状をしていることにより、コンピュータ３０が補助装置２に上から載せられるだけでスタンド端子１２とＰＣ前面端子３８はスムーズに嵌合する。それとともに、スタンド端子１２に多少の面圧がかかりながら嵌合するため、スタンド端子１２の表面に付いた微細な錆などがＰＣ前面端子３８の面によりこすり落とされ、好ましい。
【００４９】
電源ＬＥＤ２２が点灯し、かつ安全スイッチ１４が押下された状態のとき、スタンド端子１２とＰＣ前面端子３８とが嵌合し、かつコンピュータ３０に搭載されている図示されないバッテリが満充電でない場合、電源コード１８からスタンド端子１２、ＰＣ前面端子３８を介して、コンピュータ３０に搭載されているバッテリが充電される。
【００５０】
こうした状態において、コンピュータ３０は斜めに置かれているため、横たえられているときに比べて、設置面の占有面積が少なく好ましい。さらに、単にコンピュータ３０を縦置き又は横置きにする場合に比べて、設置された状態のデザインが良いため、インテリアとしても好ましい。さらにコンピュータ３０は、ケーブル、コネクタの連結などの手間なしに、補助装置２に載せるだけでバッテリが充電される。
【００５１】
安全スイッチ１４が押下されていない状態のときは、スタンド端子１２に電力が供給されない。そのため、コンピュータ３０が補助装置２に載せられていないときは剥き出しの電極に電力が供給されておらず、安全である。
【００５２】
ユーザが補助装置２に載せられた状態でコンピュータ３０を使用するとき、ユーザは補助装置側解除スイッチ２１を押す。すると、回転軸６１が図５に示される矢印の方向に回転し、解除スイッチ押下部２４は押し上げられる。それに伴って、解除スイッチ３６も押し上げられる。すると、ストッパー６４は支点部６２のまわりに矢印の方向に回転し、押し上げられる。その結果、ストッパー６４は係止部６８から外れ、ディスプレイ部４４を本体部４２に対して開くことが可能な状態となる。ユーザは、ディスプレイ部４４を本体部４２に対して開かれた状態にする。
【００５３】
図７を参照して、ユーザはディスプレイ部４４を、自分が見やすい高さまで開く。例えばコンピュータ３０がＢ５版サイズのノートパソコンであり、コンピュータ３０が机上で使用され、ユーザが椅子に座って使用する場合、ディスプレイ部４４は、表示画面の法線が概ね水平方向を向く角度であると、表示画面がユーザに対して略正対する位置関係になり、見やすい。
【００５４】
ユーザは、コンピュータ３０が備える操作スイッチやコンピュータ３０に接続された図示されないマウスを用いてコンピュータ３０を操作し、ＤＶＤに記録された動画の鑑賞、放送されているＴＶ番組の鑑賞、Ｗｅｂの鑑賞などを行う。
【００５５】
電力の供給は、電源コード１８からスタンド端子１２、ＰＣ前面端子３８を介して行われる。補助装置２は、動画が快適に再生されるためには、ＰＣ前面端子３８に例えば６０ワット程度の電力を供給することができることが好ましい。ユーザは、電力が充分に供給されていることにより長時間、電源の心配をせずに動画の鑑賞等を行うことができる。供給される電力が使用される電力を上回ったら、その分はコンピュータ３０のバッテリの充電にまわされる。
【００５６】
スピーカ４０はコンピュータ３０の前面に付いているため、補助装置２を用いずコンピュータ３０を単体で使用する場合にユーザに音声がよく聞こえる。コンピュータ３０が補助装置２に載せられている場合、背面板４が下部で傾斜が水平に近づくようなカーブを有しているため、下を向いたスピーカ４０の音声を背面板４が前方を向く方向に誘導する。そのため、補助装置２に載せられたコンピュータ３０の音声は正面から聞きやすい。
【００５７】
ユーザがキーボードを使って文章を打つなどの操作を行いたい場合、ユーザはコンピュータ３０を持ち上げるだけで、コンピュータ３０は補助装置２から取り外される。
【００５８】
図８を参照すると、電源回路の略図が示されている。ＡＣアダプタ接続口５２から導かれた配線は、電源ＬＥＤ２２に導かれ、電源ＬＥＤ２２が点灯する。安全スイッチ１４がオフ（押されていない状態）のときは、電力は供給されない。安全スイッチ１４がオン（搭載されたコンピュータにより押された状態）のときは、スタンド端子１２に電力が供給される。一対のスタンド端子の一方は接地電極である。スタンド端子１２からＰＣ前面端子３８に電力が供給される。一対のＰＣ前面端子の一方は接地電極である。
【００５９】
ＰＣ前面端子３８に供給された電力は、コンピュータ３０の内部の電源制御部５６を介してコンピュータ３０のメイン回路５８に供給される。メイン回路５８にすべての電力が供給されないときは、余った電力はバッテリ６０を充電するために使用される。コンピュータ３０はＡＣアダプタ接続口５４を備えており、補助装置２が無くても家庭用のコンセントから電力の供給を受けることができる。
【００６０】
本発明による補助装置は、特にＢ５版サイズのノートパソコン程度の大きさのコンピュータに好適に用いられるが、Ａ４版サイズのノートパソコン、パームトップパソコン、ＰＤＡなどの電子機器にも好適に用いられる。
【図面の簡単な説明】
【００６１】
【図１】図１は、補助装置の側面図である。
【図２】図２は、補助装置の前面図である。
【図３】図３は、補助装置を前斜め上から見た図である。
【図４】図４は、コンピュータの斜視図である。
【図５】図５は、支持台の付近の断面図である。
【図６】図６は、コンピュータを畳んだ状態で補助装置に乗せた様子を示す側面図である。
【図７】図７は、コンピュータを開いた状態で補助装置に乗せた様子を示す側面図である。
【図８】図８は、電源回路の簡略図である。
【符号の説明】
【００６２】
２…補助装置
４…背面板
６…支持部
８…支持台
１０…ガイド
１２…スタンド端子
１４…安全スイッチ
１８…電源コード
２０…回転部
２１…補助装置側解除スイッチ
２２…電源ＬＥＤ
２４…解除スイッチ押下部
３０…コンピュータ
３２…背面
３６…解除スイッチ
３８…ＰＣ前面端子
４０…スピーカ
４１…ガイド溝
４２…本体部
４４…ディスプレイ部
６１…回転軸
６２…支点部
６４…ストッパー
６８…係止部
【図１】
2005310001.tif 000003
【図２】
2005310001.tif 000004
【図３】
2005310001.tif 000005
【図４】
2005310001.tif 000006
【図５】
2005310001.tif 000007
【図６】
2005310001.tif 000008
【図７】
2005310001.tif 000009
【図８】
2005310001.tif 000010